(57)【要約】【課題】使用しないときに、超微小粒子フィルタによりろ過したウィルスが発散できず、超微小粒子フィルタ及び殺菌装置の交換作業の安全性が向上する密封式エアクリーナーを提供する。【解決手段】第１ケースＡと、第２ケースＢと、を備え、第１ケースＡと第２ケースＢとは、連接台１２と継手４１とを介して連通される。連接台１２と継手４１が伸縮可能な袋５０に被われ、袋５０の両端の間に開口封止構造５２が設けられ、第１ケースＡには、エア入り口１１と、ゲート１４と、が設けられる。圧縮アセンブリが第１ケースＡ内に収容され、第２ケースＢには、エア出口４２と、遮断部材と、が設けられる。第２ケースＢの内部には、殺菌装置４５と、超微小粒子フィルタ４６と、が設けられ、エア入り口１１にあるゲート１４が閉状態にあるときには、圧縮アセンブリと殺菌装置４５が同期に停止し、エア出口４２が閉じられる。【選択図】図５
0003157422.tif 000002
【実用新案登録請求の範囲】
【請求項１】
内外部を連通するエア入り口及びエア出口が設けられ、前記エア入り口を開閉可能なゲート及び前記エア出口を開閉可能な遮断部材が取付けられるケースと、
前記ケースに設けられ、前記ゲートの変位を検知可能な処理装置とを備え、
前記ケースの内部の前記エア入り口と前記エア出口の間には、圧縮アセンブリと、殺菌装置と、超微小粒子フィルタと、が順次に設けられ、
前記エア入り口にある前記ゲートが開状態にあるときに、前記処理装置により前記圧縮アセンブリと前記殺菌装置が同期に起動し、これにより、エアが前記エア入り口と前記殺菌装置を経由して、加圧されて前記超微小粒子フィルタを通過し、このとき、前記遮断部材が前記エア出口を開ける状態にあり、そうすると、ウィルスなしのエアを前記エア出口から排出することができ、
前記エア入り口にある前記ゲートが閉状態にあるときには、前記処理装置により前記圧縮アセンブリと前記殺菌装置が同期に停止し、このとき、前記遮断部材が前記エア出口を閉じる状態にあることを特徴とする密封式エアクリーナー。
【請求項２】
前記処理装置により、前記ゲートを開閉することができ、前記圧縮アセンブリと前記殺菌装置を同期に起動し、又は停止することができることを特徴とする請求項１に記載の密封式エアクリーナー。
【請求項３】
前記ゲートには、タッチ式スイッチが取付けられ、前記ゲートを連動し前記エア入り口を開けたいときには、前記タッチ式スイッチを切替えることにより、前記処理装置によって、前記ゲートの開閉と、前記圧縮アセンブリ及び前記殺菌装置の同期起動または同期停止と、を制御することができることを特徴とする請求項２に記載の密封式エアクリーナー。
【請求項４】
前記ケースは、第１ケースと、第２ケースと、をドッキングして構成され、前記第１ケースと前記第２ケースは連接台と継手を介して連通し、前記連接台と前記継手が伸縮可能な袋に被われ、前記袋の両端の間に開口封止構造が設けられ、
前記第１ケースには、前記エア入り口と、前記ゲートと、前記処理装置と、が設けられ、前記圧縮アセンブリが前記第１ケース内に収容され、前記圧縮アセンブリが稼動しているときには、前記連接台と継手を介して前記第２ケースに、圧縮されたエアを供給することができ、
前記第２ケースには、その内外部を連通する前記エア出口と、前記エア出口を開閉可能な遮断部材と、が設けられ、前記第２ケースの内部の前記継手と前記エア出口の間には、前記殺菌装置と、前記超微小粒子フィルタと、が順次に設けられ、これにより、前記殺菌装置と前記超微小粒子フィルタを定期に交換するときには、前記連接台と前記継手を分離して前記袋の前記開口封止構造を密封するだけで、前記第２ケースが密封式のろ過システムになることを特徴とする請求項１に記載の密封式エアクリーナー。
【請求項５】
弾性バンドにより前記袋の両端が前記連接台と前記継手に固定され、前記開口封止構造は、互いに対応する、少なくとも一つの押え条と、少なくとも一つの溝と、から構成されることを特徴とする請求項４に記載の密封式エアクリーナー。
【請求項６】
前記第１ケースの内部の前記エア入り口と前記連接台の間には、風力均一プレートと、プライマリフィルタと、活性炭素フィルタと、風力均一プレートと、圧縮アセンブリと、が順次に設けられ、前記圧縮アセンブリは、支持プレートにモータが締結され、前記モータが前記処理装置に制御され、前記モータのシャフトにファンが設けられ、前記風力均一プレートに通気穴が複数設けられ、これらの前記通気穴は、前記エア入り口との距離が遠いほど、その直径が大きいことを特徴とする請求項４に記載の密封式エアクリーナー。
【請求項７】
前記第１ケースの連接台側の面に嵌め枠が凸設され、前記嵌め枠と前記連接台の間に開放空間が形成され、前記開放空間には、前記処理装置と、前記処理装置に電力を供給する電力供給装置と、が設けられ、前記第２ケースの正面には、前記嵌め枠とドッキングすることができる挿入枠が凸設され、ボルトの締結により前記第１ケースと前記第２ケースが一体になり、このとき、前記継手と前記連接台を連通することにより、前記第１ケースと前記第２ケースが連通するようになることを特徴とする請求項４に記載の密封式エアクリーナー。
【請求項８】
前記第２ケースの内部の前記継手と前記エア出口の間には、風力均一プレートと、殺菌装置と、直径が０．１μｍ以下のエアにおける粒子をろ過可能な超微小粒子フィルタと、が順次に設けられることを特徴とする請求項４に記載の密封式エアクリーナー。
【請求項９】
前記第２ケースには、内外部を連通するエア出口が二つ設けられ、これらの前記エア出口に遮断部材がそれぞれ設けられ、前記遮断部材のうちの一つは、排気できる一方向通行弁であり、外部に突出する連接ノズルが設けられ、他の前記遮断部材は、排気できる偏心式一方向通行バルブであり、前記第２ケースには、前記偏心式一方向通行バルブの開閉を制御できる制御ボタンが設けられることを特徴とする請求項４に記載の密封式エアクリーナー。
【請求項１０】
前記一方向通行弁の前記連接ノズルは蓋で封止することができることを特徴とする請求項９に記載の密封式エアクリーナー。
【考案の詳細な説明】
【技術分野】
【０００１】
本考案は、エアクリーナーに関し、特に、密封式エアクリーナーに関するものである。
【背景技術】
【０００２】
新型インフルエンザの流行している現在では、マスクを被って公共の場所で活動することが必要になる。しかし、Ｎ９５型のマスクは直径０．５μｍ以下のウィルスの９５％しかろ過できず、他の種類のマスクのろ過効果が良くない。市販しているＮ９５型マスクの数量が不足であり、且つＮ９５型マスクにろ過されたウィルスがマスクに付着するため、エアを介して発散する可能性がある。
【０００３】
ファンによってエアを循環することによりウィルスをろ過するエアクリーナーは、ＨＥＰＡフィルタを採用し、直径０．３μｍ以上のウィルスをろ過することができるが、ろ過されたウィルスは、密封空間に収容されないため、エアを介して発散する可能性がある。そしてＨＥＰＡフィルタを定期に交換することが必要であるため、密封空間に収容されないＨＥＰＡフィルタを交換するときには、作業者はろ過されたウィルスに感染される危険性がある。
【考案の概要】
【考案が解決しようとする課題】
【０００４】
本考案の主な目的は、使用しないときに、その内部が密封状態であるため、超微小粒子フィルタによりろ過したウィルスが発散できず、且つ定期に交換することが必要である超微小粒子フィルタ及び殺菌装置が使い捨て式で密封な第２ケースに収容されるため、交換作業の安全性が向上する密封式エアクリーナーを提供することにある。
【課題を解決するための手段】
【０００５】
本考案の請求項１に記載の密封式エアクリーナーによると、内外部を連通するエア入り口及びエア出口が設けられ、前記エア入り口を開閉可能なゲート及び前記エア出口を開閉可能な遮断部材が取付けられるケースと、
前記ケースに設けられ、前記ゲートの変位を検知可能な処理装置とを備え、
前記ケースの内部の前記エア入り口と前記エア出口の間には、圧縮アセンブリと、殺菌装置と、超微小粒子フィルタと、が順次に設けられ、前記エア入り口にある前記ゲートが開状態にあるときに、前記処理装置により前記圧縮アセンブリと前記殺菌装置が同期に起動し、これにより、エアが前記エア入り口と前記殺菌装置を経由して、加圧されて前記超微小粒子フィルタを通過し、このとき、前記遮断部材が前記エア出口を開ける状態にあり、そうすると、ウィルスなしのエアを前記エア出口から排出することができ、
前記エア入り口にある前記ゲートが閉状態にあるときには、前記処理装置により前記圧縮アセンブリと前記殺菌装置が同期に停止し、このとき、前記遮断部材が前記エア出口を閉じる状態にあることを特徴とする。
【０００６】
本考案の請求項２に記載の密封式エアクリーナーによると、前記処理装置により、前記ゲートを開閉することができ、前記圧縮アセンブリと前記殺菌装置を同期に起動し、又は停止することができることを特徴とする。
【０００７】
本考案の請求項３に記載の密封式エアクリーナーによると、前記ゲートには、タッチ式スイッチが取付けられ、前記ゲートを連動し前記エア入り口を開けたいときには、前記タッチ式スイッチを切替えることにより、前記処理装置によって、前記ゲートの開閉と、前記圧縮アセンブリ及び前記殺菌装置の同期起動または同期停止と、を制御することができることを特徴とする。
【０００８】
本考案の請求項４に記載の密封式エアクリーナーによると、前記ケースは、第１ケースと、第２ケースと、をドッキングして構成され、前記第１ケースと前記第２ケースは連接台と継手を介して連通し、前記連接台と前記継手が伸縮可能な袋に被われ、前記袋の両端の間に開口封止構造が設けられ、
前記第１ケースには、前記エア入り口と、前記ゲートと、前記処理装置と、が設けられ、前記圧縮アセンブリが前記第１ケース内に収容され、前記圧縮アセンブリが稼動しているときには、前記連接台と継手を介して前記第２ケースに、圧縮されたエアを供給することができ、
前記第２ケースには、その内外部を連通する前記エア出口と、前記エア出口を開閉可能な遮断部材と、が設けられ、前記第２ケースの内部の前記継手と前記エア出口の間には、前記殺菌装置と、前記超微小粒子フィルタと、が順次に設けられ、これにより、前記殺菌装置と前記超微小粒子フィルタを定期に交換するときには、前記連接台と前記継手を分離して前記袋の前記開口封止構造を密封するだけで、前記第２ケースが密封式のろ過システムになることを特徴とする。
【０００９】
本考案の請求項５に記載の密封式エアクリーナーによると、弾性バンドにより前記袋の両端が前記連接台と前記継手に固定され、前記開口封止構造は、互いに対応する、少なくとも一つの押え条と、少なくとも一つの溝と、から構成されることを特徴とする。
【００１０】
本考案の請求項６に記載の密封式エアクリーナーによると、前記第１ケースの内部の前記エア入り口と前記連接台の間には、風力均一プレートと、プライマリフィルタと、活性炭素フィルタと、風力均一プレートと、圧縮アセンブリと、が順次に設けられ、前記圧縮アセンブリは、支持プレートにモータが締結され、前記モータが前記処理装置に制御され、前記モータのシャフトにファンが設けられ、前記風力均一プレートに通気穴が複数設けられ、これらの前記通気穴は、前記エア入り口との距離が遠いほど、その直径が大きいことを特徴とする。
【００１１】
本考案の請求項７に記載の密封式エアクリーナーによると、前記第１ケースの連接台側の面に嵌め枠が凸設され、前記嵌め枠と前記連接台の間に開放空間が形成され、前記開放空間には、前記処理装置と、前記処理装置に電力を供給する電力供給装置と、が設けられ、前記第２ケースの正面には、前記嵌め枠とドッキングすることができる挿入枠が凸設され、ボルトの締結により前記第１ケースと前記第２ケースが一体になり、このとき、前記継手と前記連接台を連通することにより、前記第１ケースと前記第２ケースが連通するようになることを特徴とする。
【００１２】
本考案の請求項８に記載の密封式エアクリーナーによると、前記第２ケースの内部の前記継手と前記エア出口の間には、風力均一プレートと、殺菌装置と、直径が０．１μｍ以下のエアにおける粒子をろ過可能な超微小粒子フィルタと、が順次に設けられることを特徴とする。
【００１３】
本考案の請求項９に記載の密封式エアクリーナーによると、前記第２ケースには、内外部を連通するエア出口が二つ設けられ、これらの前記エア出口に遮断部材がそれぞれ設けられ、前記遮断部材のうちの一つは、排気できる一方向通行弁であり、外部に突出する連接ノズルが設けられ、他の前記遮断部材は、排気できる偏心式一方向通行バルブであり、前記第２ケースには、前記偏心式一方向通行バルブの開閉を制御できる制御ボタンが設けられることを特徴とする。
【００１４】
本考案の請求項１０に記載の密封式エアクリーナーによると、前記一方向通行弁の前記連接ノズルは蓋で封止することができることを特徴とする。
【考案の効果】
【００１５】
本考案の密封式エアクリーナーによれば、使用しないときに、その内部が密封状態であるため、超微小粒子フィルタによりろ過したウィルスが発散できず、且つ定期に交換することが必要である超微小粒子フィルタ及び殺菌装置が使い捨て式で密封な第２ケースに収容されるため、交換作業の安全性が向上するという効果を有する。
【図面の簡単な説明】
【００１６】
【図１】本考案の一実施形態の密封式エアクリーナーの組合状態の斜視図である。
【図２】本考案の一実施形態の密封式エアクリーナーの組合状態の断面図である。
【図３】本考案の一実施形態の密封式エアクリーナーの組合状態の一部の断面図である。
【図４】本考案の一実施形態に係る風力均一用プレートの模式図である。
【図５】本考案の一実施形態に係る第２ケースを交換する動作を示す模式図である。
【図６】本考案の一実施形態に係る第２ケースを交換する動作を示す模式図である。
【図７】本考案の一実施形態に係る開口封止構造の構成を示す模式図である。
【考案を実施するための形態】
【００１７】
以下、本考案の一実施形態を図面に基づいて説明する。
まず、図１乃至図７を参照する。本考案の一実施形態の密封式エアクリーナーは、第１ケースＡと、第２ケースＢと、をドッキングして構成される。
【００１８】
前記第１ケースＡは、中空なものであり、その正面に内外部を連通するエア入り口１１が設けられ、その背面に内外部を連通する連接台１２が設けられ、前記エア入り口１１の上下にレール１３がそれぞれ設けられ、前記各レール１３にゲート１４が摺動可能に設けられ、前記ゲート１４をスライドすることにより、前記エア入り口１１を開閉することができ、前記ゲート１４にタッチ式スイッチ１４１が取付けられる。前記第１ケースＡの背面に嵌め枠１５が凸設され、前記嵌め枠１５と前記連接台１２の間に開放空間が形成され、前記開放空間には、前記タッチ式スイッチ１４１の制御信号を接収する処理装置２１と、前記処理装置２１に電力を供給する電力供給装置２２と、が設けられる。
【００１９】
前記第１ケースＡの内部の前記エア入り口１１と前記連接台１２の間には、風力均一プレート３１と、プライマリフィルタ３２と、活性炭素フィルタ３３と、風力均一プレート３４と、圧縮アセンブリと、が順次に設けられ、前記圧縮アセンブリは、支持プレート３５にモータ３６が締結され、前記モータ３６が前記処理装置２１に制御され、前記モータ３６のシャフトにファン３７が設けられる。前記ゲート１４を連動し前記エア入り口１１を開けたいときには、前記タッチ式スイッチ１４１を切替えることにより、前記処理装置２１によって、前記ゲート１４のオープンと、前記圧縮アセンブリの起動と、を同期にすることができる。そうすると、前記ファン３７により、エアは、前記エア入り口１１から前記第１ケースＡに進入して、前記風力均一プレート３１と前記プライマリフィルタ３２と前記活性炭素フィルタ３３と前記風力均一プレート３４とを順次に経由して前記連接台１２に進入し、これにより、加圧されるエアが前記第２ケースＢまで送られる。
【００２０】
前記風力均一プレート３１の構造は、図４に示すように、通気穴が複数設けられ、これらの前記通気穴は、前記エア入り口１１との距離が遠いほど、その直径が大きい。これにより、エアは前記風力均一プレート３１を全面的で均一に通過することができ、前記風力均一プレート３１の後方にある前記プライマリフィルタ３２によって全面的にろ過することができる。
【００２１】
前記第２ケースＢは、中空なものであり、その正面に内外部を連通する継手４１が設けられ、その背部の上面に内外部を連通するエア出口４２が二つ設けられ、前記二つの前記エア出口４２に遮断部材がそれぞれ設けられ、前記遮断部材のうちの一つは、排気できる一方向通行弁４２０であり、外部に突出する連接ノズル４２１が設けられ、前記連接ノズル４２１は、マスクなどと連接することができ、使用しないときに蓋４２２により被ることができる。他の前記遮断部材は、排気できる偏心式一方向通行バルブ４２３である。具体的には、大分の時間には、前記一方向通行弁４２０と前記一方向通行バルブ４２３がそのうちの一つだけ使用されるため、前記一方向通行弁４２０がマスクと連接するときには、前記制御ボタン４２４の制御により前記一方向通行バルブ４２３が閉じられる。前記第２ケースＢの正面には、前記嵌め枠１５とドッキングすることができる挿入枠４３が凸設され、ボルト４３１の締結により前記第１ケースＡと前記第２ケースＢが一体になり、このとき、前記継手４１と前記連接台１２を連通することにより、前記第１ケースＡと前記第２ケースＢが連通するようになる。前記第２ケースＢの内部の前記継手４１と前記エア出口４２の間には、風力均一用プレート４４と、紫外線ランプにより構成される殺菌装置４５と、直径が０．１μｍ以下のエアにおける粒子をろ過可能な超微小粒子フィルタ（SUPER  ULPA  FILTER）４６と、が順次に設けられ、これにより、前記ゲート１４を開けるときには、前記処理装置２１によって前記圧縮アセンブリ及び前記殺菌装置４５を同期に起動して、エアが加圧されて前記超微小粒子フィルタ４６を通過して、ウィルス無しのエアが前記エア出口４２から排出される。前記殺菌装置４５は、前記超微小粒子フィルタ４６の表面と、加圧されるエアとに対して殺菌することができ、これにより、前記第２ケースＢに進入したエアのウィルスの数量を最低に抑えることができる。前記ゲート１４を閉じるときには、前記処理装置２１によって前記圧縮アセンブリ及び前記殺菌装置４５を同期に停止して、前記遮断部材が前記エア出口４２を閉じる。
【００２２】
本考案の一実施形態では、前記連接台１２と前記継手４１が伸縮可能な袋５０に被われ、弾性バンド５１により前記袋５０の両端が前記連接台１２と前記継手４１に固定され、前記袋５０の両端の間に開口封止構造５２が設けられ、前記開口封止構造５２は、図７に示すように、互いに対応する、少なくとも一つの押え条と、少なくとも一つの溝と、から構成される。そうすると、前記殺菌装置４５と前記超微小粒子フィルタ４６を交換したいときには、前記第１ケースＡと前記第２ケースＢを分離して、図５に示すように、前記袋５０を伸ばして、前記開口封止構造５２により前記袋５０の両端を封止して、図６に示すように、鋏で前記袋５０の左端を切断することにより、前記第２ケースＢの内部は、密封状態になり、外部と連通しなくなり、そうすると、前記第２ケースＢの内部にあるウィルスは外部に発散することがない。第２ケースＢの交換作業は更に安全になる。
【００２３】
上記の説明から明らかなように、前記ゲート１４により前記エア入り口１１を閉じるときには、前記処理装置２１によって前記圧縮アセンブリおよび前記殺菌装置４５が同期に停止し、これにより、前記エア入り口１１と前記エア出口４２が閉じられる状態では、ケースの内部が密封状態になり、ケースの内部にあるウィルスは外部に発散しない。特に、前記第１ケースＡの前縁には、内外部を連通する一方向通行エア吸入弁３８が組み付けられるため、前記ゲート１４により前記エア入り口１１を閉じて慣性により前記ファン３７が継続に回転しているときには、前記一方向通行エア吸入弁３８が強制に開けられ、そうすると、前記第１ケースＡの内部が真空状態になることはない。
【００２４】
このように、本考案が、特定の形態を参照して説明されたが、それらの形態は、説明のためだけのものであり、本考案を限定するものではなく、この分野に通常の知識を有する者には、本考案の精神および範囲を逸脱することなく、ここで開示された実施形態に変更、追加、または、削除を施してもよいことがわかる。
【産業上の利用可能性】
【００２５】
本考案は、エアクリーナーに適用することができる。
【符号の説明】
【００２６】
１１：エア入り口、１２：連接台、１３：レール、１４：ゲート、１５：嵌め枠、２１：処理装置、２２：電力供給装置、３１：風力均一用プレート、３２：プライマリフィルタ、３３：活性炭素フィルタ、３４：風力均一用プレート、３５：支持プレート、３６：モータ、３７：ファン、３８：一方向通行エア吸入弁、４１：継手、４２：エア出口、４３：挿入枠、４４：風力均一用プレート、４５：殺菌装置、４６：超微小粒子フィルタ、５０：袋、５１：弾性バンド、５２：開口封止構造、１４１：タッチ式スイッチ、４２０：一方向通行弁、４２１：連接ノズル、４２２：蓋、４２３：一方向通行バルブ、４２４：制御ボタン、４３１：ボルト、Ａ：第１ケース、Ｂ：第２ケース。
【図１】
0003157422.tif 000003
【図２】
0003157422.tif 000004
【図３】
0003157422.tif 000005
【図４】
0003157422.tif 000006
【図５】
0003157422.tif 000007
【図６】
0003157422.tif 000008
【図７】
0003157422.tif 000009